(57)【要約】      （修正有）【課題】これまでのバストと腹部のマッサージ装置が低周波電流を利用していたことによる不都合と女性の体調を考慮しないことにより生ずる不都合とを解消したバストと腹部のマッサージ装置を提供する。【解決手段】マッサージ装置の横棒部の両端にそれぞれ一つづつ乳房の上を覆うカップを設け、マッサージ装置の縦棒部の底端に下腹部の上を適当に押さえつけるマッサージするためのボール体を設け、マッサージ装置の本体構造に振動させるための振動モーターを設け、振動モーターから生じる振動作用により、マッサージ装置が人間の乳房と腹部に対してマッサージを行う。【選択図】図６
0003115642.tif 000002
【実用新案登録請求の範囲】
【請求項１】
主な基本構造はほぼＴ字形により構成される本体であり、マッサージ装置の横棒部の両端にそれぞれ一つづつカップを設け、上記カップで乳房の上を覆い、マッサージ装置の縦棒部の底端にマッサージするためのボール体を設け、上記マッサージ用のボール体が下腹部の上を適当に押さえつけると共に、マッサージ装置の本体構造に振動させるための振動モーターを設け、振動モーターから生じる振動作用により、マッサージ装置が人間の乳房と腹部に対してマッサージを行うことを特徴とするバストと腹部のマッサージ装置。
【請求項２】
マッサージ装置の横棒部の両端にキャリアが設けられ、キャリア本体上にアーチ形の板が設けられ、アーチ形の板上に弧形状の孔が設けられ、アーチ形の板の下に順に制御ボタンとシフト棒が設けられ、制御ボタンの上端が横棒部の弧形状の孔の外部に張り出されると共に、制御ボタンの上にシフト棒を押させる凸部を設け、シフト棒の底面にカップの構造が設けられることを特徴とする請求項1に記載するバストと腹部のマッサージ装置。
【請求項３】
マッサージ装置の縦棒部の底端にキャリアが設けられ、キャリア本体上にアーチ形の板が設けられ、アーチ形の板上に弧形状の孔が設けられ、アーチ形の板の下に順に制御ボタンとシフト棒が設けられ、制御ボタンの上端が横棒部の弧形状の孔の外部に張り出されると共に、制御ボタンの上にシフト棒を押させる凸部を設け、シフト棒の一端にV型板が延設され、V型板の三つの端にマッサージ用のボール体を有することを特徴とする請求項1に記載するバストと腹部のマッサージ装置。
【考案の詳細な説明】
【技術分野】
【０００１】
本考案は特に本体の構造がほぼＴ字形であるマッサージ装置であることを特徴とするバストと腹部のマッサージ装置。
【背景技術】
【０００２】
従って、例えば、従来の技術における台湾特許第４７５４４０号の「胸部マッサージ器の構造」特許公報は、主に、振動ユニットを有し、弧形に曲げられたカップ体と接触体とが嵌め込まれ、カップ体は切り取られた溝により、末端の下縁がスイッチ体の作動点と相対している押し板を有し、カップ対と接触体は、２つの直列電池の回路を形成する振動ユニット及びスイッチ体を収納する。且つカップ体と接触体が嵌め込まれた後、その脇側は一つの凹みを欠き、その上接触体の底面には複数の凸粒が配置される。
【０００３】
また、例えば、従来の技術における台湾特許第５８０３８３号の「胸部マッサージを与えることのできる激励低周波装置」特許公報は、並列又は直列に組み合わせた少なくとも一組の正、負極点が導電膜か銅箔板か導電ゴム材料に設けられ、激励板を形成する、且つ上記の少なくとも一組の正、負極点は人体胸部のツボに基づいて対応分布させる。
【０００４】
さらに、例えば、従来の技術における台湾特許第５７１７５３号の「低周波胸部マッサージ装置」の特許公報には、胸部接触をさせる導電素子と低周波電流を発生させる制御装置を含み、上記導電素子は正極導電部と負極導電部を含み、
上記正極導電部と上記負極導電部はそれぞれ電気的に接続される制御装置の正、負極に対応し、上記制御装置から発生する低周波電流に人体胸部の組織を刺激させ、マッサージ効果を達成させる。上記マッサージ装置の特徴は上記第一導電部と上記第二導電部がソフト導電シールであり、且つ上記第一導電部と上記第二導電部が仮想の中心点を用いて複数の放射状の隙間を設け、上記第一導電部と上記第二導電部を胸部の形状変化により緊密に接着貼り付ける効果を形成させるというものである。
【０００５】
しかし、前記の各特許公報には少なくとも下記の２つの問題がある。第一に、前記各特許公報はすべて低周波電流の刺激方式を採用しており、人の乳房に対し、局部的に刺激を発生させる作用があり、低周波電流の繰り返しの刺激により、バストアップ効果を促進させることを望んでいる。しかしながら、低周波電流の刺激によりバストアップ効果を高めることができるという確かな医学上の明確な実験データや証明できるものはない。しかしその反対に低周波電流を利用して人体に刺激を与えることは、人体に電流による傷害や破壊を引き起こす疑いがある。どちらかといえば、さらに注意をする必要があり、並びに慎重に判定しなければならない重要な課題である。
【０００６】
第二に、前記の各特許公報はすべて人体の乳房部分に対し、バストアップ効果を増加させさせすればよい、しかし、女性が月経時に生じる生理痛の問題について、有効な解決方策を提供する方法がない、これは欠点といえる。
【考案の開示】
【考案が解決しようとする課題】
【０００７】
本考案は、これまでのバストと腹部のマッサージ装置が低周波電流を利用していたことによる不都合と女性の体調を考慮しないことにより生ずる不都合とを解消したバストと腹部のマッサージ装置を提供しようとするものである。
【課題を解決するための手段】
【０００８】
まず、図１、２に示すように、本考案のバストと腹部のマッサージ装置
の主な構造は、全体の基本形がほぼＴ字形により構成される本体である。
【０００９】
それから、図１、２、３、４を参照すると、本考案はマッサージ装置（１０）の横棒部（１１）の両端の底面位置にそれぞれキャリア（１２）が設けられ、キャリア（１２）の本体上にアーチ形の板（１２１）が、アーチ形の板（１２１）上に弧形状の孔（１２２）が設置され、弧形状の孔（１２２）の下に制御ボタン（１４）が取り付けられ、制御ボタン（１４）の上端が弧形状の孔（１２２）を通り抜け、且つ横棒部（１１）の弧形状の孔（１３）により外側に張り出される。
【００１０】
キャリア（１２）のアーチ形の板（１２１）の下に制御ボタン（１４）とシフト棒（１５）が取り付けられ、制御ボタン（１４）の本体上に隆起状の凸部（１４１）が設けられ、シフト棒（１５）は制御ボタン（１４）の底面に密着している。さらにシフト棒（１５）の一端の底面位置に２つの凸形支持柱（１５１）が設けられ、上記凸形支持柱（１５１）は乳房のような形状のカップ（１６）に粘着、結合される。それに、カップ（１６）の内側の凹面上にいくらか凸状になっている凸形構造が設けられ、上記凸形構造はバスト附近のツボ部分に対しマッサージ効果を高めることができる。
【００１１】
その上、制御ボタン（１４）を引くことにより、制御ボタン（１４）の凸部（１４１）がシフト棒（１５）を押し付ける際、シフト棒（１５）は制御ボタン（１４）の凸部（１４１）による締め付け作用を受け、このときシフト棒（１５）がシフトさせられなくなる。（図４に示すように）
【００１２】
これに反して、制御ボタン（１４）を反対の方向に引く際、制御ボタン（１４）の凸部（１４１）がシフト棒（１５）を押さえつけず、シフト棒（１５）と制御ボタン（１４）の間に弛んだような状態を呈させ、このとき手動でシフト棒（１５）の位置を移動させることができる。簡単に言えば、カップ（１６）はシフト棒（１５）に従い、適度にシフト調整され、これにより横棒部（１１）両端のカップ（１６）間の距離を変え、身体のバスト間隔にぴったり合うようにする。（図３に示すように）
【００１３】
続いて、図１、２、５を参照すると、本考案はマッサージ装置（１０）の縦棒部（１７）底端の底面位置にキャリア（１８）が同様に設けられ、キャリア（１８）の本体上にアーチ形の板（１８１）が、アーチ形の板（１８１）上に弧形状の孔（１８２）が設置され、弧形状の孔（１８２）の下に制御ボタン（２０）が取り付けられ、制御ボタン（２０）の上端が弧形状の孔（１８２）を通り抜け、且つ縦棒部（１７）の弧形状の孔（１９）により外側に張り出される。
【００１４】
キャリア（１８）のアーチ形の板（１８１）の下に制御ボタン（２０）とシフト棒（２１）が取り付けられ、制御ボタン（２０）の本体上に隆起状の凸部（２０１）が設けられ、シフト棒（２１）は制御ボタン（２０）の底面に密着している。さらにシフト棒（２１）の一端にV字状のV型板（２１１）が延設され、V型板（２１１）の三つの端にそれぞれマッサージ用のボール体（２２）を設けられ、上記３つのマッサージ用のボール体（２２）は鼎立の状態を示している。
【００１５】
その上、制御ボタン（２０）を引くことにより、制御ボタン（２０）の凸部（２０１）がシフト棒（２１）を押し付ける際、シフト棒（２１）は制御ボタン（２０）の凸部（２０１）による締め付け作用を受け、このときシフト棒（２１）がシフトさせられなくなる。（図５に示すように）
【００１６】
これに反して、制御ボタン（２０）を反対の方向に引く際、制御ボタン（２０）の凸部（２０１）がシフト棒（２１）を押さえつけず、シフト棒（２１）と制御ボタン（２０）の間に弛んだような状態を呈させ、このとき手動でシフト棒（２１）の位置を移動させることができる。簡単に言えば、マッサージ用のボール体（２２）はシフト棒（２１）の移動に従い、適度にシフト調整され、これによりマッサージ用のボール体（２２）が下腹部を押さえつけるのに最適な位置に調整することができる。
【００１７】
続いて、図１、２を参照すると、本考案はマッサージ装置（１０）本体構造にモーターの収納部（２３）が設けられ、上記収納部（２３）の内部には２つのモーター（２４、２５）が取り付けられており、そのうちモーター（２４）は低回転速度のモーターであり、モーター（２５）は高回転速度のモーターで、同時に蓋となる板（２６）を用いて収納部（２３）の底面を密閉させる。
【００１８】
なお、モーター（２４、２５）の電源回路はマッサージ装置（１０）本体上に設置されている制御スイッチ（１１０）に接続された後、電源コード（２７）を経由して接続され、途中セルフ・タイマー（２８）に接続された後、電源プラグ（２９）に接続され、完全な電源回路が形成される。
【００１９】
モーター（２４、２５）の回転軸状にそれぞれ大きさの異なる偏心板（２４１、２５１）を設けることにより、モーター（２４、２５）回転する際、その大きさが異なる偏心板（２４１、２５１）は振幅の異なる振幅作用を生じさせることができる。そのうち低回転速度のモーター（２４）に組み合わされている大きな偏心板（２４１）は振幅が大きく低速で大きな振動作用を生じさせ、
高回転速度のモーター（２５）に組み合わされている小さな偏心板（２５１）は振幅が小さく高速で小さな振動作用を生じさせることができる。
【００２０】
制御スイッチ（１１０）の操作により、２つの振動モーター（２４、２５）をそれぞれ独立に回転させるか、同時に回転させることができる。上記２つの振動モーター（２４、２５）をそれぞれ独立に回転させるとき生じる単独形態の振動作用、又は上記２つの振動モーター（２４、２５）を同時に回転させるとき生じる振動の共振効果が、使用者に３種類の振動モデルを持たせ、選択ができるようにさせる。その上、このような物理振動作用により、本考案のマッサージ装置（１０）にバストと腹部に対し同時に物理的マッサージをさせることが可能で、それによりバストアップ効果を促し、並びに月経時、下腹部の痛みの程度を減少させる。
【考案の効果】
【００２１】
本考案はモーター（２４、２５）の回転軸上の大きさが異なる偏心板（２４１、２５１）の振動能力により、上記２つの振動モーター（２４、２５）に大幅な振動作用又は小幅な振動作用を単独に生じさせる、或いは上記２つの振動モーター（２４、２５）が同時に生じさせる大小の振幅の共振効果により、本考案のマッサージ装置（１０）がバスト（３０）と下腹部（３１）にマッサージを行い、進んではバストアップ効果を促し、並びに月経時、下腹部の痛みの程度を減少させる。
【実施例】
【００２２】
続いて、図１、２、６、７に示すように、本考案の実地例を以下に詳細に示す。
本考案のバストと腹部のマッサージ装置（１０）は主にバスト（３０）と下腹部（３１）に対し同時にマッサージを行うことができる。
【００２３】
最初に、マッサージ装置（１９）を使用してマッサージを行いたい場合、まずマッサージ装置（１０）の電源プラグ（２９）を家庭用の電源コンセントに差し込まなければならない、続いてベッドの上又は床の上に身体を横にさせ、マッサージ装置（１０）を乳房（３０）と下腹部（３１）の上に平らに置く。
【００２４】
マッサージ装置（１０）の横棒部（１１）両端の２つのカップ（１６）の構造は身体の２つの乳房（３０）の上にそれぞれ覆い被せ、且つ横棒部（１１）の両端の弧形状の孔（１３）の外にある制御ボタン（１４）を引き出すことによる構造で、これにより２つのカップ（１６）の間隔をシフト調整させることができ、身体の２つの乳房（３０）の間隔にぴったり合うようになる。
【００２５】
マッサージ装置（１０）の縦棒部（１７）のマッサージ用のボール体（２２）の構造は身体の下腹部（３１）上に押さえつけ、且つ縦棒部（１７）の弧形状の孔（１９）の外にある制御ボタン（２０）を引き出すことによる構造で、これによりマッサージ用のボール体（２２）の相対的な位置に調整ができ、下腹部（３１）上の最適なマッサージ位置に適切にくっつけることができる。
【００２６】
また、本考案の縦棒部（１７）のシフト棒（２１）及びV型板（２１１）とマッサージ用のボール体（２２）などの構造は、キャリア（１８）のアーチ形の板（１８１）により取り出される。その上、シフト棒（２１）及びV型板（２１１）とマッサージ用のボール体（２２）などの構造も反対方向に差し込まれ、キャリア（１８）のアーチ形の板（１８１）で結合される。このようなやり方はマッサージ用のボール体（２２）が圧力を加える下腹部（３１）上のマッサージ位置を大幅に変えることができる。例えば６図に示すように、上記マッサージ用のボール体（２２）は下腹部（３１）の下側の位置を押さえつけマッサージすることができる。また７図に示すように、上記マッサージ用のボール体（２２）は下腹部（３１）の上側の位置を押さえつけマッサージすることができる。
【００２７】
続いて、本考案のマッサージ装置（１０）２つのカップ（１６）とマッサージ用のボール体（２２）などの構造はそれぞれ身体の乳房（３０）と下腹部（３１）上に置いた後、マッサージ装置（１０）上の制御スイッチ（１１０）をオンにすることにより、マッサージ装置（１０）本体構造上の２つのモーター（２４、２５）を単独回転又は同時回転させる、このようにして３種類の異なる回転振動モデルを持たせ、選択ができるようにさせる。また、必要な際はセルフ・タイマー（２８）を動かしてもよい、セルフ・タイマー（２８）の時間カウント機能により、モーター（２４、２５）をセルフ・タイマー（２８）の時間カウントの終了時に自動停止させることができる。
【図面の簡単な説明】
【００２８】
【図１】本考案の傾斜分解図。
【図２】本考案の上からみた内部構造断面図。
【図３】図２の３−３切断面の断面図。
【図４】図３の局部構造図と本考案の制御ボタンが引き出される際の概略図。
【図５】本考案のマッサージ用のボール体付近の内部構造図。
【図６】図２の６−６切断面の断面図と本考案の使用概略図。
【図７】図６の内部構造断面図と相対するもう一つの本考案の使用概略図。
【符号の説明】
【００２９】
１０      マッサージ装置
１１      横棒部（
１１０    制御スイッチ
１２      キャリア
１２１    アーチ形の板
１２２    弧形状の孔
１３      弧形状の孔
１４      制御ボタン
１４１    隆起状の凸部
１５      シフト棒
１５１    凸形支持柱
１６      カップ
１７      縦棒部
１８      キャリア
１８１    アーチ形の板
１８２    弧形状の孔
１９      弧形状の孔
２０      制御ボタン
２０１    隆起状の凸部
２１      シフト棒
２１１    V型板
２２      ボール体
２３      収納部
２４      モーター
２４１    偏心板
２５      モーター
２５１    偏心板
２６      板
２７      電源コード
２８      セルフ・タイマ
２９      電源プラグ
３０      バスト
３１      下腹部
【図１】
0003115642.tif 000003
【図２】
0003115642.tif 000004
【図３】
0003115642.tif 000005
【図４】
0003115642.tif 000006
【図５】
0003115642.tif 000007
【図６】
0003115642.tif 000008
【図７】
0003115642.tif 000009